(57)【要約】【課題】  テープ引出し用開口部を側壁に備えたカートリッジケース内に、磁気テープを巻装した単一のリールが回動可能に収容され、磁気テープの先端に固着された細長いリーダピンが、テープ引出し用開口部の近傍において係止ばねにより着脱自在に保持されてなる磁気テープカートリッジにおいて、リーダピンとリーダピン係止用係止ばねとの係合部における摺動抵抗の増大を防止する。【解決手段】リーダピン５の係止ばね９に対する係合面の表面硬度を、係止ばね９のリーダピン９対する係合面の表面硬度よりも２０％以上高める。【選択図】        図３
2005267782.tif 000002
【特許請求の範囲】
【請求項１】
テープ引出し用開口部を側壁に備えたカートリッジケース内に、磁気テープを巻装した単一のリールが回動可能に収容され、前記磁気テープの先端に固着された細長いリーダピンが、前記テープ引出し用開口部の近傍において係止ばねにより着脱可能に係止されてなる磁気テープカートリッジにおいて、
前記リーダピンの前記係止ばねに対する係合面の表面硬度が、前記係止ばねの前記リーダピンに対する係合面の表面硬度よりも２０％以上高められていることを特徴とする磁気テープカートリッジ。
【請求項２】
前記係止ばねがステンレス鋼からなる薄板で形成され、前記リーダピンが焼入れ処理により硬化されたステンレス鋼で形成されていることを特徴とする請求項１記載の磁気テープカートリッジ。
【請求項３】
前記係止ばねが３００〜４００ｍＨＶの範囲の表面硬度を有し、前記リーダピンが５００〜７００ｍＨＶの範囲の表面硬度を有することを特徴とする請求項２記載の磁気テープカートリッジ。
【発明の詳細な説明】
【技術分野】
【０００１】
本発明は、磁気テープを巻装した単一のリールがカートリッジケース内に回転可能に収容され、上記磁気テープの先端部にテープ引出し用リーダピンが固着されてなる磁気テープカートリッジに関するものである。
【背景技術】
【０００２】
従来、コンピュータ等の外部記憶装置に用いられる記録媒体として使用されている磁気テープカートリッジにおいて、磁気テープを巻装した単一のリールがカートリッジケース内に回転可能に収容されたタイプのものが知られている（特許文献１参照）。この磁気テープは、コンピュータ等のデータ保存用として用いられるが、重要な情報が記憶されているため、テープジャミング等のトラブルが発生しないように、また不用意に磁気テープが引き出されないように構成されている。
【０００３】
また、上記磁気テープの先端には、テープ引出し用の細長いリーダピンが固着され、この磁気テープカートリッジが記録再生装置に装着されたとき、記録再生装置側のピン捕捉具がリーダピンに係合して磁気テープをカートリッジケースから引き出し、記録再生装置へのローディングを行ない、アンローディング時には、磁気テープがリールに巻かれるとともに、上記ピン捕捉具がリーダピンをカートリッジケース内に戻すように構成されている。そして、上記カートリッジケースは、合成樹脂製の上ケースと下ケースとが複数本の小ねじにより互いに締結されて構成され、上記リーダピンは、カートリッジケースに設けられているテープ引出し用開口部の近傍において、その上下端を係止ばねによって着脱可能に係止されるようになっている。
【０００４】
ところで、上記リーダピンと、カートリッジケースのテープ引出し用開口部の近傍において上記リーダピンを着脱可能に係止する係止ばねとは、一般に同一系統の金属材料（例えばＳＵＳ材）で形成されているが、記録再生装置に対し磁気テープカートリッジがロード・アンロードされる度に相対的な摺動動作が反復されることにより、係合面が削れて摺動抵抗が増大するという問題がある。
【０００５】
この場合、係止ばねはカートリッジケース内に固定されているため、リーダピンに対する係合部位はほぼ一定であるが、テープ引出し用開口部に対して出入動作を反復するリーダピンの係止ばねに対する係合部位は一定しないため、係合面の複数箇所が削れると、削れた面の間にエッジを生じ、摺動抵抗がさらに増大することになる。その結果、テープ引出し用開口部に対するリーダピンの平滑な出入動作が阻害され、最悪の場合、リーダピンの出入動作が不能になる虞があった。
【０００６】
特に、上記係止ばねが弾性アームの先端にリーダピンに対する係合部を備えた板バネで形成されている場合、プレス加工による加工変質によって上記アームの先端のみが硬化して、リーダピンの係止ばねに対する係合面がさらに削れ易くなっていた。
【特許文献１】特開平２００２−３０４８６７号
【発明の開示】
【発明が解決しようとする課題】
【０００７】
解決しようとする問題点は、上述のような構成を有する磁気テープカートリッジにおいて、リーダピンとリーダピン係止用係止ばねとの係合部における摺動抵抗の増大を防止することである。
【課題を解決するための手段】
【０００８】
本発明は、テープ引出し用開口部を側壁に備えたカートリッジケース内に、磁気テープを巻装した単一のリールが回動可能に収容され、上記磁気テープの先端に固着された細長いリーダピンが、上記テープ引出し用開口部の近傍において係止ばねにより着脱可能に係止されてなる磁気テープカートリッジにおいて、上記リーダピンの上記係止ばねに対する係合面の表面硬度が、上記係止ばねの上記リーダピンに対する係合面の表面硬度よりも２０％以上高められていることを特徴とするものである。
【０００９】
その場合、上記係止ばねをステンレス鋼からなる薄板で形成し、上記リーダピンを焼入れ処理により硬化されたステンレス鋼で形成することができる。例えば上記係止ばねが３００〜４００ｍＨＶの範囲の表面硬度を有し、上記リーダピンが５００〜７００ｍＨＶの範囲の表面硬度を有することが好ましい。
【発明の効果】
【００１０】
本発明の効果は、リーダピンの係止ばねに対する係合面の表面硬度が、係止ばねのリーダピンに対する係合面の表面硬度よりも２０％以上高められていることにより、リーダピンの係止ばねに対する係合面が削られる虞がなくなり、リーダピンの係合面におけるエッジの発生も防止され、これによって摺動抵抗の増大を防止することができる。
【発明を実施するための最良の形態】
【００１１】
以下、図面に示す実施の形態に基づいて本発明を詳細に説明する。
【００１２】
図１は本発明による磁気テープカートリッジの分解斜視図、図２はスライドドアが開いた状態の開口部近傍の正面図、図３は本発明の一実施の形態の開口部近傍を上ケースが除去された状態で示す平面図、図４はリーダピンのピン本体の拡大正面図、図５（ａ），（ｂ）は係止ばねの拡大側面図および拡大底面図である。なお、この明細書での前後方向は、記録再生装置に対する磁気テープカートリッジの装填方向（図１の斜め右上方向、図３の右方向）に対応して示してある。
【００１３】
図１において、磁気テープカートリッジ１は、上ケース２と下ケース３とが４本の小ねじ３０により締結されて一体にされるカートリッジケース４内に、磁気テープ６を巻装した単一のリール７が回動可能に収容され、磁気テープ６の先端にはリーダピン５が固着されている。上下のケース２，３は略矩形状に形成され、上ケース２の上壁２ａおよび下ケース３の下壁３ａの周囲を繞ってそれぞれ側壁２ｂ、３ｂが設けられ、上下のケース２，３の内部には、リール７の外周に沿う円弧状の内壁３ｃ（上ケース２については図示せず）がそれぞれ設けられている。下ケース３は、上記側壁３ｂと内壁３ｃとの間に配設された４カ所のボス部３ｄを上ケース２のボス部２ｄと当接させ、かつ下ケース３の底面側から４本の小ねじ３０を締め付けることによって、重ね合わせ状態で締結される。
【００１４】
また、下ケース３の中心部には、ドライブ装置の駆動軸によってリール７を回転駆動するためのセンター孔３ｅが開口し、カートリッジケース４の後端部には書き込み防止用のライトプロテクタ部材１３が摺動可能に配設されている。リール７の中心部には、不使用状態におけるリール７の回転を拘束するためのロック機構１５が設けられている。
【００１５】
その他、図示していないが、リール７の底面の中央部には、回転駆動手段とのチャッキング時に回転駆動手段に磁気的に吸引されるリールプレートが取り付けられ、このリールプレートを繞って、回転駆動手段のドライブギヤと噛合するリールギヤがリール７に刻設されている。なお、リールギヤとドライブギヤが噛合した状態においては上記ロック機構１５が解除作動してリール７が回転自在となる。
【００１６】
上下ケース２，３の一側壁２ｂ，３ｂには、磁気テープ６を引き出すための開口部１０が形成され、この開口部１０は、図示しないスプリングによって閉方向に付勢されたスライドドア１１により開閉され、開口部１０近傍には上記スライドドア１１が摺動する溝状のドアレール１２（図３参照）が形成されている。
【００１７】
また、この磁気テープカートリッジ１は、その不使用時に磁気テープ６が完全にリール７に巻き込まれた状態で、図３に示すように、先端の後述するリーダピン５が開口部１０の近傍に形成された凹状の収納部２０に係止保持される。この収納部２０には開口部１０に向けて誘い込み構造に形成された挿入案内部２１（ガイド面）が連設され、奥部の収納部２０に向けてリーダピン５の端部を案内するように構成されている。
【００１８】
リーダピン５は、この磁気テープカートリッジ１を使用する記録再生装置のドライブ機構が磁気テープ６を装置内のテープ走行路に導入するために、ドライブ機構が備えているピン捕捉具により保持されて開口部１０から引き出されるように構成されている。
【００１９】
リーダピン５は、長さ約２０ｍｍの金属製のピン本体５Ａと、合成樹脂製のクランプ部材５Ｂとからなり、ピン本体５Ａは、図４に示すように、磁気テープ６のクランプ部である直径１．５ｍｍの細い芯軸部５ａと、この芯軸部５ａの上下端部にそれぞれ形成されて磁気テープクランプ部の両端を画成する薄いフランジ部５ｂ，５ｂと、上記ピン捕捉具との係合部として各フランジ部５ｂの外側にそれぞれ形成された長さ約１３ｍｍ、直径１．６ｍｍの細軸部５ｃ，５ｃと、各細軸部５ｃの外側にそれぞれ形成された直径３．２ｍｍ、厚さ約１．５ｍｍのフランジ部５ｄ，５ｄとから構成されている。また、クランプ部材５Ｂは、Ｃ字状の断面形状を有して、ピン本体５Ａの芯軸部５ａの外周に側方から弾性的に嵌着されて磁気テープ６をクランプし得る寸法に形成されている。そして、上下ケース２，３には、リーダピン５を上記収納部２０に着脱可能に係止するために、例えば図５（ａ），（ｂ）に示すような、例えば厚さ０．２５ｍｍの板バネからなる係止ばね９が装着されている。
【００２０】
この係止ばね９は、略矩形板状の取付部９ａを有し、上下ケース２，３を重ね合わせることによって、図３に示すように、上記取付部９ａがケース側壁２ｂ，３ｂ（前壁）の近傍に設けられたバネ装着部２３（上ケース２については図示していないが下ケース３と対称形状である）に係合保持される。上記取付部９ａのリーダピン５側の縁部の上下両端部には、この取付部９ａからリーダピン５に向かって屈曲して延びる幅約１ｍｍの一対の弾性腕部９ｂ，９ｂが連接され、各腕部９ｂの先端は折曲げられてリーダピン５に対する保持部９ｃが形成されている。この保持部９ｃは、リーダピン５側に突出する山形に形成されて、開口部１０から挿入されるリーダピン５のピン本体５Ａ外端のフランジ部５ｄ，５ｄの外周面に対し先端側の斜面で接触して弾性腕部９ｂが撓み変形し、内部側の斜面でリーダピン５を収納部２０内に係止するように構成されている。また、上記取付部９ａの上下端部には係合凹部９ｄ，９ｄが設けられている。
【００２１】
係止ばね９を保持する上下ケース２，３のバネ装着部２３は、上下ケース２，３の側壁２ｂ，３ｂ（前壁）の内面に形成された２つのリブ２３ａ，２３ａと、その中間において底面に立設された突起２３ｂとを備え、リブ２３ａ，２３ａと突起２３ｂとの間に係止ばね９の取付部９ａが挿入されるとともに、底面の凸部２３ｃに係合凹部９ｄが嵌合して、係止ばね９を保持する。また、奥部側の端部には、係止ばね９の取付部９ａにおける腕部９ｂ，９ｂ側と反対側の端部を直立状態に保持する倒れ規制部２３ｄが設けられている。
【００２２】
以上の構成において、リーダピン５のピン本体５Ａは、例えば硬度３００〜４００ｍＨＶのステンレス鋼（例えばＳＵＳ３０３相当）を図４に示すような形状に成形したものを焼入れして、少なくとも両端のフランジ部５ｄ，５ｄの外周面の硬度が約６００ｍＨＶに高められたたものが用いられている。また、上記弾性腕部９ｂ，９ｂを備えた係止ばね９は、ピン本体５Ａと同じくＳＵＳ系材料（例えばＳＵＳ３０４）からなる薄板によって一体に形成されている。
【００２３】
このように、係止ばね９の弾性腕部９ｂ，９ｂの先端部の表面硬度に比較して、弾性腕部９ｂ，９ｂの先端部が摺接するピン本体５Ａのフランジ部５ｄ，５ｄの表面の硬度が高いので、係止ばね９の弾性腕部９ｂ，９ｂの摺接によるフランジ部５ｄ，５ｄの外周面の削れが防止される。
【００２４】
なお、本実施例においては、ピン本体５Ａのフランジ部５ｄ，５ｄの表面の硬度が、フランジ部５ｄ，５ｄの表面に係合する係止ばね９の弾性腕部９ｂ，９ｂの表面硬度よりも５０％以上も高く設定されているが、実験の結果によれば、ピン本体５Ａの係止ばね９に対する係合面の表面硬度を、係止ばね９のリーダピン５に対する係合面の表面硬度よりも２０％以上高めることにより、ピン本体５Ａのフランジ部５ｄ，５ｄの外周面の磨耗が防止されることが判明している。
【図面の簡単な説明】
【００２５】
【図１】本発明による磁気テープカートリッジの分解斜視図である。
【図２】スライドドアが開いた状態の開口部近傍の正面図である。
【図３】本発明の一実施の形態における開口部近傍を、上ケースを除去した状態で示す平面図である。
【図４】リーダピンのピン本体の拡大正面図である。
【図５】図５（ａ）は係止ばねの拡大側面図、図５（ｂ）は係止ばねの拡大底面図である。
【符号の説明】
【００２６】
１    磁気テープカートリッジ
２    上ケース
３    下ケース
４    カートリッジケース
５    リーダピン
５Ａ    ピン本体
６    磁気テープ
７    リール
９    係止ばね
１０    開口部
【図１】
2005267782.tif 000003
【図２】
2005267782.tif 000004
【図３】
2005267782.tif 000005
【図４】
2005267782.tif 000006
【図５】
2005267782.tif 000007